(57)【要約】  本発明は、精査処理時に計数対象とする現金を減らすことを目的とする。  紙幣判別部と、収納部と、紙幣搬送部と、制御部とを備え、前記収納部は、収納された紙幣の枚数が確定していない未確定紙幣収納庫と、収納された紙幣の枚数が確定している確定紙幣収納庫とからなる複数の紙幣収納庫と、前記精査処理時に前記未確定紙幣収納庫に収納された紙幣を一時的に保管する紙幣計数庫とを備え、前記制御部は、前記入金処理時において、前記確定紙幣収納庫に紙幣を収納し、前記出金処理時において、前記未確定紙幣収納庫に収納された紙幣を繰り出し、前記未確定紙幣収納庫に収納された紙幣を全て繰り出された場合は、該未確定紙幣収納庫を前記確定紙幣収納庫とし、前記精査処理時において、前記未確定紙幣収納庫に収納された紙幣のみを繰り出し、前記紙幣判別部にて該紙幣を判別した後に該紙幣を前記紙幣計数庫に一時的に保管し、該未確定紙幣収納庫に該紙幣を収納する。
2015049733.tif 000002
【特許請求の範囲】
【請求項１】
入金処理及び出金処理を含む運用処理と、前記運用処理の後に紙幣の枚数を確定する精査処理とを行う紙幣取扱装置において、
紙幣を判別する紙幣判別部と、紙幣を収納する収納部と、紙幣を各部に搬送する紙幣搬送部と、制御部とを備え、
前記収納部は、収納された紙幣の枚数が確定していない未確定紙幣収納庫と、収納された紙幣の枚数が確定している確定紙幣収納庫とからなる複数の紙幣収納庫と、前記精査処理時に前記未確定紙幣収納庫に収納された紙幣を一時的に保管する紙幣計数庫と、を備え、
前記制御部は、
前記入金処理時において、前記確定紙幣収納庫に紙幣を収納し、
前記出金処理時において、前記未確定紙幣収納庫に収納された紙幣を繰り出し、前記未確定紙幣収納庫に収納された紙幣を全て繰り出した場合は、該未確定紙幣収納庫を前記確定紙幣収納庫とし、
前記精査処理時において、前記未確定紙幣収納庫に収納された紙幣のみを繰り出し、前記紙幣判別部にて該紙幣を判別した後に該紙幣を前記紙幣計数庫に一時的に保管し、該未確定紙幣収納庫に該紙幣を収納することを特徴とする紙幣取扱装置。
【請求項２】
請求項１記載の紙幣取扱装置であって、
前記未確定紙幣収納庫は、前記運用処理の開始時に紙幣が収納されている紙幣収納庫、または複数枚の紙幣が一緒に繰り出された紙幣収納庫である紙幣取扱装置。
【請求項３】
請求項１記載の紙幣取扱装置であって、
前記確定紙幣収納庫は、前記運用処理の開始時に紙幣が収納されていない紙幣収納庫であり、
前記制御部は、前記運用開始処理の前に、前記確定紙幣収納庫に紙幣が収納されていないことを検出する紙幣取扱装置。
【請求項４】
請求項３記載の紙幣取扱装置であって、
前記制御部は、前記運用処理の開始前に前記確定紙幣収納庫に紙幣が収納されている場合、前記確定紙幣収納庫に紙幣が収納されていないかを再検出し、前記運用処理の開始前に前記確定紙幣収納庫に紙幣が収納されていない場合、前記運用を開始する紙幣取扱装置。
【請求項５】
請求項３記載の紙幣取扱装置であって、
前記制御部は、前記運用処理の開始前に前記確定紙幣収納庫に紙幣が収納されている場合、前記確定紙幣収納庫を前記未確定紙幣収納庫として、前記運用処理を開始する紙幣取扱装置。
【請求項６】
請求項１記載の紙幣取扱装置であって、
前記制御部は、前記入金処理時に前記確定紙幣収納庫が満杯となった場合、前記未確定紙幣収納庫に紙幣を収納する紙幣取扱装置。
【請求項７】
請求項１記載の紙幣取扱装置であって、
前記紙幣収納庫が取り外されたことを検出するセンサを備え、
前記センサにより前記紙幣収納庫が取り外されたことを検出した場合、前記紙幣収納庫を前記未確定紙幣収納庫にする紙幣取扱装置。
【発明の詳細な説明】
【技術分野】
【０００１】
本発明は、紙幣取扱装置に関する。
【背景技術】
【０００２】
ＡＴＭ（Automated Teller Machine）など金融自動取引装置は、銀行の店舗だけでなく、デパート、コンビニエンスストア、駅構内など、幅広く設置が行われている。金融自動取引装置の運用に当たっては、当該装置に搭載される紙幣取扱装置において、定期的に装置内の現金有高を確定させる処理（以降、精査処理）が必要である。【０００３】
精査処理においては、顧客との入出金紙幣を出し入れする収納カセットとは別に、紙幣を計数するための計数用カセットを内蔵している。精査時において、収納カセットに収納された紙幣は一旦計数用カセットに搬送され、再度、計数用カセットから収納カセットに搬送される。これにより、収納カセットに収納された紙幣を計数することができる。【０００４】
このような計数カセットを不要とした装置として、特許文献１には、「媒体を出入れ許容して収納する複数の収納部と、前記複数の収納部と搬送接続して媒体を計数する計数処理部とを備えた媒体計数装置であって、一の収納部に収納されている媒体の収納量と、他の収納部の空き容量とを比較して媒体の移し替え可否を判定する判定手段と、前記判定手段が移し替え可能と判定したとき、前記一の収納部の媒体を全て他の収納部に移し替えて空の収納部を形成し、この空の収納部に対して他の収納部から収納した媒体の全てを計数処理部を経由させて移し替え搬送する移し替え手順決定手段を備えた」ことが記載されている（要約より抜粋）。【０００５】
また、特許文献２には、「同一種別の紙幣を集積する複数の紙幣集積部と、前記複数の紙幣集積部からの紙幣の分離を制御する制御部と、を備え、前記制御部は、前記複数の紙幣集積部のうちで第１の紙幣集積部の集積量が少ない場合、前記第１の紙幣集積部からの紙幣の分離を優先する」ことが記載されている（要約より抜粋）。
【先行技術文献】
【特許文献】
【０００６】
【特許文献１】特開２００２−３５８５５６号公報
【特許文献２】特開２０１３−２５４３８号公報
【発明の概要】
【発明が解決しようとする課題】
【０００７】
従来技術の場合、精査処理時に装置内の全ての現金を計数するため、精査処理の時間が掛かっていた。従って、精査処理に掛かる時間の短縮化が求められている。本発明では、精査処理時に計数対象とする現金を減らすことを目的とする。
【課題を解決するための手段】
【０００８】
上記の課題を解決するために、本発明は、入金処理及び出金処理を含む運用処理と、前記運用処理の後に紙幣の枚数を確定する精査処理とを行う紙幣取扱装置において、紙幣を判別する紙幣判別部と、紙幣を収納する収納部と、紙幣を各部に搬送する紙幣搬送部と、制御部とを備え、前記収納部は、収納された紙幣の枚数が確定していない未確定紙幣収納庫と、収納された紙幣の枚数が確定している確定紙幣収納庫とからなる複数の紙幣収納庫と、前記精査処理時に前記未確定紙幣収納庫に収納された紙幣を一時的に保管する紙幣計数庫と、を備え、前記制御部は、前記入金処理時において、前記確定紙幣収納庫に紙幣を収納し、前記出金処理時において、前記未確定紙幣収納庫に収納された紙幣を繰り出し、前記未確定紙幣収納庫に収納された紙幣を全て繰り出した場合は、該未確定紙幣収納庫を前記確定紙幣収納庫とし、前記精査処理時において、前記未確定紙幣収納庫に収納された紙幣のみを繰り出し、前記紙幣判別部にて該紙幣を判別した後に該紙幣を前記紙幣計数庫に一時的に保管し、該未確定紙幣収納庫に該紙幣を収納することを特徴とする。
【発明の効果】
【０００９】
本発明によれば、精査処理時は、未確定紙幣収納庫のみから紙幣を繰り出し、確定紙幣収納庫の精査処理は不要となるため、紙幣の精査処理に掛かる時間の短縮化が可能となる。
【図面の簡単な説明】
【００１０】
【図１】自動取引システムの構成図
【図２】ＡＴＭの機能ブロック図
【図３】紙幣部の内部構成図
【図４】紙幣装填から精査までの処理を示すフローチャート
【図５】運用時における紙幣収納庫の収納状態を示した図
【図６】運用開始前確認画面の説明図
【図７】紙幣部の内部構成図
【図８】紙幣収納庫の取り外し検知の処理を示すフローチャート
【発明を実施するための形態】
【００１１】
（１）実施例１
以下、図１〜６を用いて、本発明の一実施例について説明する。本実施例は、金融機関などに設置されるＡＴＭのような自動取引装置に関するものである。
【００１２】
図１は、本実施例に係る自動取引システムの構成図である。自動取引システムは、自動取引装置（以下、ＡＴＭ（Automated Teller Machine））１と、上位装置であるホストコンピュータ２と、これらを接続するネットワーク３とから構成される
ＡＴＭ１は、利用者の操作により、現金の入出金等の取引を行う自動取引装置であり、操作案内を表示すると同時に利用者の入力を検出する表示入力部１１と、利用明細を印刷発行する明細書発行部１２と、現金の入出金を行う紙幣部１３と、利用者の口座番号などの情報が記録された記録媒体であるカードを取り扱うカード部１４とを備えている。
【００１３】
ホストコンピュータ２は、複数のＡＴＭ１と接続されるコンピュータであり、ＡＴＭ１の利用者の口座や残高に関する情報などが記録されている。また、ネットワーク３は、例えばＬＡＮ（Local Area Network）であるが、これに限られるものではない。
【００１４】
図２は、ＡＴＭ１の機能ブロック図である。ＡＴＭ１は、上記表示入力部１１と、明細書発行部１２と、紙幣部１３と、カード部１４との他に、ネットワーク３を経由してホストコンピュータと接続された通信制御部１５と、ＡＴＭ１の制御プログラム、取引記録、ＡＴＭ１内の紙幣情報などを記憶する記憶部１６と、これらの部位を制御する本体制御部２０とを備えている。
【００１５】
また、紙幣部１３は、入金処理時に利用者により投入された紙幣（入金紙幣）の受け付けと出金処理時に利用者に対して出金される紙幣（出金紙幣）の払い出しを行う入出金部１１０と、入金処理時、出金処理時及び精査処理時に紙幣の金種、正損、真偽、折れ・破れなどの紙幣状態などを判別する紙幣判別部１２０と、紙幣判別部１２０で読み取った入金紙幣の金種、枚数、合計金額などを利用者により確認され、ホストコンピュータ２にて入金処理が確定するまでの間、紙幣を一時的に収納する一時保留部１３０と、紙幣の収納を行う収納部２００と、紙幣を各部に搬送する紙幣搬送部３００と、これらの部位を制御する紙幣制御部４００とを備えている。
【００１６】
図３は、紙幣部１３の内部構成図である。紙幣部１３の上部前方（図３の右上側）には、入出金部１１０が設けられている。入出金部１１０の上部には、シャッタ１１１を設けられており、シャッタ１１１の下方には、紙幣投入ホッパ１１２と紙幣払出スタッカ１１４とが設けられている。紙幣投入ホッパ１１２には入金紙幣が収納され、紙幣払出スタッカ１１４には出金紙幣が収納される。
【００１７】
なお、図３に示す入出金部１１０の場合、紙幣投入ホッパ１１２と紙幣払出スタッカ１１４とは、装置の前後方向（図３の左右方向）に移動可能な押板１１３で仕切られているが、当該押板を有していない構成（すなわち、紙幣投入ホッパ１１２と紙幣払出スタッカ１１４とを兼用とする構成）としても良い。また、紙幣払出スタッカ１１４への紙幣放出口と、紙幣投入ホッパ１１２からの紙幣繰出口とを同一の口としても良い。
【００１８】
紙幣部１３の上部中央部には、紙幣判別部１２０が設けられている。また、紙幣部１３の上部後方（図３の左上側）には、一時保留部１３０が設けられている。
【００１９】
一時保留部１３０は、テープと、テープ上に紙幣を乗せた状態で巻き取るホイールと、テープのみを巻き取るリールとを備えている巻取り式の一時保留部や、搬送された紙幣を集積して一時的に収納するスタック式の一時保留部などがあるが、いずれの形式でも良い。
【００２０】
収納部２００は、紙幣部１３の下部前方から下部後方にかけて配置された紙幣収納庫２０１ａ〜２０１ｄ及び紙幣計数庫２０２と、紙幣部１３の上部後方であって、一時保留部１３０の下部に配置された取り忘れ紙幣収納庫２０３及び不適切紙幣収納庫２０４とから構成されている。これらの収納部２００の内、紙幣収納庫２０１ａ〜２０１ｄと紙幣計数庫２０２とは、トレイ（図示せず）に収納されている。
【００２１】
紙幣収納庫２０１ａ〜２０１ｄは、入金紙幣の内、出金処理に適した紙幣を収納する入出金兼用収納庫、または入金紙幣の内、出金処理を行わない紙幣を収納する入金専用収納庫である。入出金兼用収納庫の場合、入金処理時に金種別に紙葉類が収納され、出金処理時に指定された枚数の紙葉類が分離され、繰り出される。
【００２２】
紙幣収納庫２０１ａ〜２０１ｄの運用（収納する金種や入金専用の収納庫として用いるか）は、ソフトウェアやディップスイッチ（図示せず）により設定可能である。本実施例では、入出金兼用収納庫にて取り扱う紙幣を一万円札と千円札とし、入金専用収納庫にて取り扱う紙幣を五千円札と二千円札とする。また、一万円札用の紙幣収納庫を紙幣収納庫２０１ａとし、千円札用の紙幣収納庫を紙幣収納庫２０１ｂ、２０１ｃとし、入金専用収納庫を紙幣収納庫２０１ｄとしている。
【００２３】
また、複数の紙幣収納庫２０１ａ〜２０１ｄは、同一の外形であり、それぞれのボックスにおける紙幣の出入口は共通の位置に設けられている。そのため、ソフトウェアによる設定や、ディップスイッチの設定等を用いなくても、それぞれのボックスの位置を相互に交換することも可能である。
【００２４】
紙幣計数庫２０２は、精査処理において紙幣収納庫２０１ａ〜２０１ｄに収納された紙幣の金種や枚数を確定する際に紙幣を一時的に保管する収納庫である。
【００２５】
紙幣収納庫２０１と紙幣計数庫２０２とは、収納した紙幣を持ち上げるための可動する紙幣押板２１１と、紙幣収納庫２０１又は紙幣計数庫２０２内の紙幣の有無を検出する紙幣有無センサ２１２とを供えている。
【００２６】
取り忘れ紙幣収納庫２０３は、後述する入金計数処理時に入出金部１１０に搬送された紙幣（紙幣部１３の内部に収納することが不適切であると判断された紙幣）や出金処理時に入出金部１１０に搬送された紙幣を利用者が取り出すことを忘れた際に、当該紙幣が収納される収納庫である。
【００２７】
不適切紙幣収納庫２０４は、後述する入金収納処理時及び出金処理時に発生したリジェクト紙幣を収納する収納庫である。ここで、「リジェクト紙幣」とは、紙幣判別部１２０で、紙幣部１３の内部に収納することは適切であるが、例えば、折れや破れ等による品質の低下により、出金処理時に利用者に提供するには適さないと判別された紙幣のことである。なお、不適切紙幣収納庫２０４を設けずに、上述の入金専用収納庫２０１ａ〜２０１ｄのいずれかにリジェクト紙幣を収納する構成としても良い。
【００２８】
紙幣搬送部３００は、以下の搬送路を備えている。（１）入出金部１１０と、紙幣判別部１２０と、一時保留部１３０と接続する紙幣搬送部３０１〜３０８、（２）紙幣搬送部３０１と３０２との間から分岐し、紙幣収納庫２０１ａ〜２０１ｄ及び不適切紙幣収納庫２０４と接続する紙幣搬送路３２１〜３２５、（３）紙幣搬送路３０２〜３０５及び３２１〜３２３と環状搬送路を形成する紙幣搬送路３４１〜３４２、（４）紙幣搬送部３０３と３０８と接続する紙幣搬送路３６１、（５）紙幣搬送部３４１と３４２との間から分岐し、取り忘れ紙幣収納庫２０３と接続する紙幣搬送路３６２、（６）紙幣搬送部３２４と３２５との間から分岐し、紙幣計数庫２０２と接続する紙幣搬送路３８１。これらの搬送路は、図示しない駆動源により駆動される。また、搬送路の分岐点には、ゲートが設けられており、ゲートの向きが切り替わることにより、紙幣の搬送先が切り替わる。
【００２９】
各搬送路上には、紙幣の存在を検出するための搬送路センサ（図示せず）を備えている。搬送路センサは、例えば、赤外光発光部と、搬送路を挟んで赤外光発光部に対向する位置に設けられた赤外光受光部とから構成され、赤外光受光部のダーク／ライトを検出することにより、紙幣の存在を検出する。
【００３０】
紙幣制御部４００は、各処理において次のように紙幣の搬送を行う。最初に、入金処理と出金処理とについて説明する。入金処理は、利用者により投入された紙幣を計数する処理（入金計数処理）と、計数された紙幣を紙幣収納庫２０１ａ〜２０１ｄまたは不適切紙幣収納庫２０４に収納する処理（入金収納処理）とに分けられる。
【００３１】
以下、入金計数処理について説明する。入出金部１１０の紙幣投入ホッパ１１２に投入された紙幣は、分離機構にて一枚ずつ分離され、繰り出される。
【００３２】
その後、繰り出された紙幣は、紙幣搬送部３０１〜３０３を経由し、紙幣判別部１２０で金種、正損、真偽、折れ・破れなどの紙幣状態などが判別される。紙幣判別部１２０は、判別結果を紙幣制御部４００に出力する。紙幣制御部４００は、受け取った判別結果により、紙幣は以下のように搬送される。
【００３３】
紙幣が真紙幣であると判別された場合、当該紙幣は、紙幣搬送部３０４〜３０６を経由し、一時保留部１３０に一時的に収納される。一方、紙幣の金種が判別できなかった場合、紙幣が偽紙幣であると判別された場合、傾き異常や紙幣同士の間隔異常・破れなどにより寸法が異常であると判別された場合、または紙幣が複数枚重なっていると判別された場合、当該紙幣は、一時保留部１３０に搬送されず、紙幣搬送部３０４、３０７、３０８を経由し、入出金部１１０の紙幣払出スタッカ１１４に搬送され、利用者に返却される。
【００３４】
以下、入金収納処理について詳細に説明する。入金計数処理の後に、紙幣判別部１２０で読み取った入金紙幣の金種、枚数、合計金額などが利用者により確認され、ホストコンピュータ２にて入金処理が確定された場合、入金収納処理が実行される。
【００３５】
一時保留部１３０に収納された紙幣は、分離機構にて一枚ずつ分離され、繰り出される。その後、繰り出された紙幣は、紙幣搬送路３０６〜３０４を経由し、紙幣判別部１２０で金種、正損、真偽、折れ・破れなどの紙幣状態などが再度判別される。紙幣判別部１２０は、判別結果を紙幣制御部４００に出力する。紙幣制御部４００は、受け取った判別結果により、紙幣は以下のように搬送される。
【００３６】
紙幣の金種が確定し、搬送状態が正常であり、紙幣が複数枚重なっていないと判別された場合（すなわち、紙幣収納部２０１ａ〜２０１ｄへの収納に適していると判別された場合）、当該紙幣は、紙幣搬送部３０３〜３０２、３２１〜３２２を経由し、紙幣収納庫２０１ａ〜２０１ｄのいずれかに収納される。一方、上記以外の判別結果である場合、当該紙幣は、紙幣搬送部３０３〜３０２、３２１〜３２５を経由し、不適切紙幣収納庫２０４に収納される。
【００３７】
上記の動作により、空の状態である紙幣収納庫２０１ａ〜２０１ｄに対して、入金計数処理において正しく枚数が計数された紙幣を収納した場合は、紙幣収納庫２０１ａ〜２０１ｄに収納されている紙幣の枚数は常に確定している状態である。紙幣収納庫２０１ａ〜２０１ｄに収納された紙幣の金種と枚数とは、記憶部１６に記憶される。
【００３８】
以下、出金処理について説明する。紙幣収納庫２０１ａ〜ｃに収納された紙幣は、分離機構にて一枚ずつ分離され、所定枚数の紙幣が繰り出される。
【００３９】
その後、繰り出された紙幣は、紙幣搬送路３２２〜３２１、３０２〜３０３を経由し、紙幣判別部１２０で判別される。紙幣判別部１２０は、判別結果を紙幣制御部４００に出力する。紙幣制御部４００は、受け取った判別結果により、紙幣は以下のように搬送される。
【００４０】
判別された紙幣が出金可能であると判別された場合、当該紙幣は、紙幣搬送部３０４、３０７、３０８を経由し、入出金部１１０の紙幣払出スタッカ１１４に搬送され、利用者に出金される。一方、判別された紙幣が出金可能でないと判別された場合、当該紙幣は、紙幣搬送部３０３〜３０２、３２１〜３２５を経由し、不適切紙幣収納庫２０４に収納される。
【００４１】
また、紙幣収納庫２０１ａ〜ｃに収納された紙幣が分離機構にて分離され、繰り出される際に、複数枚の紙幣が一緒に分離され、繰り出される場合がある。このとき、繰り出される紙幣の枚数は不明であるため、紙幣収納庫２０１ａ〜ｃに収納されている紙幣の枚数が未確定の状態になる。
【００４２】
次に、取り忘れ紙幣の回収動作について説明する。入金処理時に発生したリジェクト紙幣や出金紙幣が入出金部１１０の紙幣払出スタッカ１１４に収納された状態のまま、所定時間が経過した場合、入出金部１１０の紙幣払出スタッカ１１４に収納された紙幣は一枚ずつ分離され、繰り出される。
【００４３】
その後、繰り出された紙幣は、紙幣搬送路３０８、３６１、３０３〜３０５、３４１、３６２を経由し、取り忘れ紙幣収納庫２０３に収納される。
【００４４】
次に、紙幣の精査処理について説明する。精査処理は、紙幣収納庫２０１ａ〜２０１ｄの内、一つの紙幣収納庫に対して行われ、当該紙幣収納庫の精査処理が完了した後に、別の紙幣収納庫の精査処理が行われる。以下、紙幣収納庫２０１ａの精査処理について説明する。
【００４５】
最初に、紙幣収納庫２０１ａに収納された紙幣は、分離機構にて一枚ずつ分離され、繰り出される。その後、繰り出された紙幣は、紙幣搬送路３２２〜３２１、３０２〜３０３を経由し、紙幣判別部１２０で判別される。紙幣判別部１２０は、判別結果を紙幣制御部４００に出力する。紙幣制御部４００は、受け取った判別結果により、紙幣は以下のように搬送される。
【００４６】
紙幣の枚数と金種とが確定したと判別された場合、当該紙幣は、紙幣搬送部３０４〜３０５、３４１〜３４２、３２４、３８１を経由し、紙幣計数庫２０２に収納される。一方、紙幣の金種が確定しないと判別された場合、当該紙幣は、紙幣搬送部３０４〜３０５、３４１〜３４２、３２４、３２５を経由し、不適切紙幣収納庫２０４に収納される。
【００４７】
なお、紙幣判別部１２０で判別された紙幣を紙幣計数庫２０２（または不適切紙幣収納庫２０４）に収納する前に、一旦一時保留部１３０に収納しても良い。このとき、紙幣判別部１２０で判別された紙幣は、紙幣搬送部３０４〜３０６を経由して一時保留部１３０に収納される。その後、一時保留部１３０から繰り出された紙幣は、紙幣搬送部３０６〜３０４を経由し、紙幣判別部１２０で再度紙幣の枚数と金種とが判別され、紙幣搬送部３０３、３０２、３２１〜３２４、３８１（または３２５）を経由し、紙幣計数庫２０２（または不適切紙幣収納庫２０４）に収納される。
【００４８】
次に、紙幣計数庫２０２に収納された紙幣は、分離機構にて一枚ずつ分離され、繰り出される。その後、繰り出された紙幣は、紙幣搬送路３８１、３２４、３４２〜３４１、３０５〜３０４を経由し、紙幣判別部１２０で再度紙幣の枚数と金種とが判別され、紙幣搬送部３０３、３０２、３２１〜３２２を経由し、紙幣収納庫２０１ａに収納される。また、紙幣収納庫２０１ａに収納された紙幣のうち、精査処理で枚数と金種とが確定された紙幣の金種と枚数とは、記憶部１６に記憶される。
【００４９】
図４は、紙幣装填から精査までの処理を示すフローチャートである。また、図５は、入金処理及び出金処理などの運用時における紙幣収納庫２０１ａ〜２０１ｄの収納状態を示した図である。図５（ａ）は、入金処理及び出金処理などの運用開始直後の状態を示しており、入金処理や出金処理を続けることにより、図５（ｂ）、図５（ｃ）、図５（ｄ）と状態が変化する。
【００５０】
図５において、紙幣収納庫２０１ａ〜２０１ｄに収納された紙幣の内、実線で示される紙幣は、金種、枚数ともに確定された紙幣であり、点線で示される紙幣は、金種は確定しているが、枚数が確定していない紙幣である。図５（ａ）に示した運用開始直後の紙幣収納庫２０１ａ、２０１ｃに収納された紙幣は、人為的に紙幣が収納されたり、収納金額が人為的に入力されるなどの係員作業により間違いが発生することがあるため、初期装填枚数は確定していないものとして取り扱う。
【００５１】
以下、図４の処理フローに従い説明する。係員により紙幣収納庫２０１ａ、２０１ｃへの紙幣装填後、紙幣装填の完了入力を受け付ける（ステップＳ１０１）。このとき、一万円札用の紙幣収納庫２０１ａには一万円札が装填され、千円札用の紙幣収納庫２０１ｃには千円札が装填される。
【００５２】
次に、千円札用の紙幣収納庫２０１ｂに紙幣が装填されていないことを検知する（ステップＳ１０２）。具体的には、紙幣収納庫２０１ｂの紙幣有無センサ２１２により、千円札用の紙幣収納庫２０１ｂの紙幣有無を検知する。紙幣収納庫２０１ｂは紙幣の枚数が確定している確定紙幣収納庫である必要があるため、運用開始直後は紙幣収納庫２０１ｂに紙幣を収納していない状態（収納枚数が０枚で確定している状態）が必要である。そこで、紙幣制御部４００は、入金処理及び出金処理を含む運用処理の開始前に、確定紙幣収納庫に紙幣が収納されていないことを検出する必要がある。
【００５３】
千円札用の紙幣収納庫２０１ｂが空でない場合（ステップＳ１０２：Ｎｏ)、紙幣制御部４００は、入金処理及び出金処理などの運用を開始するか否かを選択させる画面である運用開始前確認画面を、表示入力部１１に表示させる指令を本体制御部２０に送信する。その後、運用開始前確認画面を表示入力部１１に表示し（ステップＳ１０３）、係員による紙幣の再装填の待機状態となる。
【００５４】
図６に示す運用開始前確認画面１０００には、再装填完了の確認ボタン１００１と、強制開始ボタン１００２とを備えている。本体制御部２０により、再装填完了ボタン１００１が押下されたことを検知した場合、再び千円札用の紙幣収納庫２０１ｂに紙幣が装填されていないことを検知する（ステップＳ１０２）。すなわち、紙幣制御部４００は、運用処理の開始前に、確定紙幣収納庫に紙幣が収納されていないことを再検出している。
【００５５】
なお、千円札用の紙幣収納庫２０１ｂが空でない場合（ステップＳ１０２：Ｎｏ)に、千円札用の紙幣収納庫２０１ａ、入金専用収納庫２０１ｄ、不適切紙幣収納庫２０４のいずれかに紙幣を移動させても良い。
【００５６】
一方、本体制御部２０により、強制開始ボタン１００２が押下されたことを検知した場合、紙幣収納庫２０１ａ〜２０１ｃに収納された紙幣の枚数を係員が入力し、精査処理時には、紙幣収納庫２０１ａ、２０１ｂ、２０１ｃの紙幣の枚数を全て計数する。上述の通り、係員による紙幣の枚数の入力の際に間違いが発生することがあるため、紙幣収納庫２０１ａ、２０１ｂ、２０１ｃの紙幣の枚数は未確定であるものとして取り扱うものとし、紙幣の枚数が未確定である紙幣収納庫のみ紙幣の枚数を計数する。
【００５７】
千円札用の紙幣収納庫２０１ｂが空である場合（ステップＳ１０２：Ｙｅｓ)、運用処理が行われる（ステップＳ１２５）。図５（ａ）は、運用処理の開始直後の状態を示す。一万円札用の紙幣収納庫２０１ａには、一万円札が初期装填枚数分収納されている。千円札用の紙幣収納庫２０１ｂには、初期状態では千円札が装填されていない。千円札用の紙幣収納庫２０１ｃには、千円札が初期装填枚数分収納されている。また、五千円札と二千円札とを収納する入金専用収納庫２０１ｄは、初期状態では五千円札と二千円札とが装填されていない。
【００５８】
運用処理中の紙幣の取り扱いは、以下の通りである。入金処理において紙幣判別部１２０で千円札と判別された紙幣は、紙幣収納庫２０１ｂに収納される。紙幣収納庫２０１ｂには、運用処理中に紙幣判別部１２０で千円札と確定された紙幣のみが収納されており、これらの紙幣の枚数も確定しているからである（図５（ｂ）（ｃ）参照）。すなわち、紙幣収納庫２０１ｂは紙幣の枚数が確定している確定紙幣収納庫であり、入金処理時は確定紙幣収納庫に紙幣を入金している。
【００５９】
一方、出金処理において、千円札を出金する場合、紙幣収納庫２０１ｃから千円札を分離して、紙幣収納庫２０１ｃから繰り出す。運用開始時に紙幣の枚数が確定されていない紙幣収納庫２０１ｃに収納された千円札を優先的に出金すれば、紙幣収納庫２０１ｃに収納された千円札が全て紙幣収納庫２０１ｃから繰り出されたときに、紙幣収納庫２０１ｃに収納された千円札の枚数をゼロ枚と確定できるからである（図５（ｂ）（ｃ）参照）。すなわち、紙幣収納庫２０１ｃは紙幣の枚数が確定していない未確定紙幣収納庫であり、出金処理時は未確定紙幣収納庫から紙幣を出金している。
【００６０】
紙幣収納庫２０１ｃに収納された千円札の枚数をゼロ枚と確定できた後は、入金処理において、紙幣判別部１２０で千円札と判別された紙幣を、紙幣収納庫２０１ｃに収納しても良い。一旦、紙幣収納庫２０１ｃに収納された千円札の枚数をゼロ枚と確定できた後は、運用中に紙幣判別部１２０で正しく金種、枚数が計数された紙幣が収納されるため、このとき紙幣収納庫２０１ｃは確定紙幣収納庫である。（図５（ｄ）参照）。すなわち、未確定紙幣収納庫に収納された紙幣を全て出金した場合は、当該未確定紙幣収納庫を確定紙幣収納庫として運用しても良く、入金処理時に紙幣を入金することが可能となる。
【００６１】
次に、係員による精査処理の開始が受け付けられた場合（ステップＳ１２６：Ｙｅｓ）、紙幣収納庫２０１ａ、２０１ｃの内、紙幣の枚数が確定していない紙幣収納庫（すなわち、一度も紙幣判別部１２０で読み取られていない紙幣収納庫や、複数枚の紙幣が一緒に繰り出された紙幣収納庫）の紙幣の精査処理を行う（ステップＳ１２７、Ｓ１２８）。例えば、図５（ｃ）、図５（ｄ）に示す状態で精査処理を開始した場合は、紙幣収納庫２０１ａのみ精査処理を行う。一方、図５（ｂ）に示す状態で精査処理を開始した場合は、紙幣収納庫２０１ａ、２０１ｃ双方の精査処理を行う。精査処理が完了し、紙幣収納庫２０１ａ〜２０１ｄに収納された全ての紙幣の枚数が確定した場合（ステップＳ１２７：Ｙｅｓ）、精査結果を表示入力部１１に表示し（ステップＳ１２９）、紙幣収納庫に収納された紙幣の金種と枚数情報とを係員が把握することが可能となる。また、紙幣収納庫２０１ａ〜２０１ｄに収納された紙幣の金種と枚数とが、記憶部１６に記憶される。
【００６２】
すなわち、精査処理時は、前記未確定紙幣収納庫に収納された紙幣のみを繰り出し、前記紙幣判別部にて該紙幣を判別した後に該紙幣を前記紙幣計数庫に一時的に保管し、該未確定紙幣収納庫に該紙幣を収納することにより、未確定紙幣収納庫に収納された紙幣のみを精査対象とし、確定紙幣収納庫に収納された紙幣の精査処理は不要となるため、紙幣の精査処理に掛かる時間の短縮化が可能となる。
【００６３】
なお、本実施例では、一万円札用の紙幣収納庫２０１ａに収納された紙幣の枚数が未確定であるものとして説明しているが、運用処理の開始時に、紙幣収納庫２０１ａに紙幣が収納されてなく、かつ運用処理中に入金された紙幣を繰り出す際に、複数枚の紙幣が一緒に繰り出されることが無い場合は、紙幣収納庫２０１ａに収納された紙幣の枚数が確定している。この場合、紙幣収納庫２０１ａに収納された紙幣の精査処理は不要となる。
【００６４】
また、本実施例では、一万円札用の紙幣収納庫を入出金兼用収納庫２０１ａとし、千円札用の紙幣収納庫を入出金兼用収納庫２０１ｂ、２０１ｃとし、五千円札と二千円札用の紙幣収納庫を入金専用収納庫２０１ｄとして説明したが、一万円札用の紙幣収納庫を入出金兼用収納庫２０１ａ、２０１ｂとし、千円札用の紙幣収納庫を入出金兼用収納庫２０１ｃ、２０１ｄとし、入金専用収納庫を無くしても良い。このとき、二つ設けられた一万円札用の紙幣収納庫２０１ａ、２０１ｂのうち一方の紙幣収納庫が空であり、かつ二つ設けられた千円札用の紙幣収納庫２０１ｃ、２０１ｄのうち一方の紙幣収納庫が空でないと、入金処理及び出金処理などの運用をしないようにする（上記ステップＳ１２５参照）。
【００６５】
また、入金計数処理において、紙幣判別部１２０で紙幣が偽紙幣であると判別された場合、当該紙幣を入出金部１１０の紙幣払出スタッカに搬送する代わりに、不適切紙幣収納庫２０４（リジェクト紙幣を紙幣収納庫２０１ａ〜２０１ｄのいずれかに収納する場合は、当該リジェクト紙幣を収納する紙幣収納庫）に搬送しても良い。
【００６６】
また、紙幣収納庫２０１ａ〜２０１ｄの数は、本実施例のように４個に限定されることはなく、少なくとも２個以上であれば、紙幣収納庫２０１の数を変更しても良い。
（２）実施例２
千円札の紙幣収納庫２０１ｃから全ての紙幣が全て放出されることにより、千円札の紙幣収納庫２０１ｃが空になる前に、千円札の紙幣収納庫２０１ｂが満杯になることがある。このとき、入金処理時において千円札を紙幣収納庫２０１ｃに収納することになる。すなわち、入金処理時に確定紙幣収納庫が満杯となった場合、未確定紙幣収納庫に紙幣を収納している。
【００６７】
このような場合、紙幣収納庫２０１ｃは、紙幣の枚数が確定していない紙幣収納庫（すなわち、一度も紙幣判別部１２０で読み取られていない紙幣収納庫や、複数枚の紙幣が一緒に繰り出された紙幣収納庫）であるため、図４のステップＳ１２８において、紙幣収納庫２０１ｃに収納された紙幣を全て計数する必要がある。
【００６８】
ここで、精査処理の結果から得られた紙幣収納庫２０１ｃに収納されていた紙幣の枚数をＸｓとし、入金処理及び出金処理などの運用開始されるときに紙幣収納庫２０１ｃに収納された入金紙幣の枚数をＸｉとすると、紙幣収納庫２０１ｂが満杯になったときに、紙幣収納庫２０１ｃに収納されていた紙幣の枚数Ｘｏは、Ｘｏ＝Ｘｓ−Ｘｉとして算出することができる。
【００６９】
紙幣収納庫２０１ｃが空になる前に紙幣収納庫２０１ｂが満杯になるということは、入金処理と出金処理との頻度が変わらない場合、初期装填枚数としてＸｏ枚余剰であることがいえる。従って、次回に紙幣収納庫２０１ｃに装填する枚数を、Ｘｏ枚以上減らすことにより、精査処理時までに紙幣収納庫２０１ｃを一旦空の状態にすることが期待できる。
【００７０】
紙幣収納庫２０１ｂが満杯になったときに、紙幣収納庫２０１ｃに収納されていた紙幣の枚数Ｘｏを、精査結果として表示入力部１１に表示したり、明細書発行部１２にて印刷したり、あるいはホストコンピュータ２に出力したりすることにより、次回に紙幣収納庫２０１ｃに装填する枚数を係員に把握させることが可能となる。このとき、紙幣収納庫２０１ｂが満杯になったときに、紙幣収納庫２０１ｃに収納されていた紙幣の枚数Ｘｏは、複数回の精査処理の結果から算出された平均値を用いても良い。
（３）実施例３
各紙幣収納庫２０１ａ〜２０１ｄが取り外された場合、取り外された紙幣収納庫に収納されている紙幣の収納状態が担保できない。そのため、本実施例では、図７に示すように、紙幣収納庫２０１ａ〜２０１ｄのそれぞれに、紙幣収納庫取り外し検出センサ２０１０ａ〜２０１０ｄを備える構成とした。また、紙幣計数庫２０２に、紙幣収納庫取り外し検出センサ２０２０を備えても良い。
【００７１】
図８は、紙幣収納庫の取り外し検知の処理を示すフローチャートである。紙幣収納庫取り外し検出センサ２０１０ａ〜２０１０ｄは、適切な周期で紙幣収納庫２０１ａ〜２０１ｄの状態を監視している。紙幣収納庫２０１ａ〜２０１ｄに収納されている紙幣が全て計数されており、枚数が確定している状態であったとしても、紙幣収納庫取り外し検出センサ２０１０ａ〜２０１０ｄにより、紙幣収納庫２０１ａ〜２０１ｄが取り外されたことを検知すると（ステップＳ２０１：Ｙｅｓ）、内部に収納された紙幣の枚数を未確定として、精査処理時には計数対象の紙幣収納庫とする（ステップＳ２０２）。すなわち、紙幣収納庫取り外し検出センサにより前記紙幣収納庫が取り外されたことを検出した場合、紙幣収納庫を未確定紙幣収納庫にしている。
【００７２】
以上のような処理を行うことにより、係員により取り外された紙幣収納庫は、実際に係員が紙幣を取り出した／詰め込んだか否かによらず精査処理の対象としており、正確な紙幣の精査処理が可能となる。
【００７３】
なお、紙幣収納庫取り外し検出センサ２０１０ａ〜２０１０ｄの代わりに、紙幣収納庫取り外し検出センサ２０１０ａ〜２０１０ｄ全体を覆う金庫扉の開錠検知センサを使用しても良く、その場合には金庫扉が開錠された場合には全ての収納庫を計数対象としても良い。
【符号の説明】
【００７４】
１：自動取引装置、２：ホストコンピュータ、３：ネットワーク、１１：表示入力部、１２：明細書発行部、１３：紙幣部、１４：カード部、１５：通信制御部、１６：記憶部、２０：制御部、１１０：入出金部、１２０：紙幣判別部、１３０：一時保留部、２００：収納部、２０１ａ〜２０１ｄ：紙幣収納庫、２０１０ａ〜２０１０ｄ：紙幣収納庫取り外し検出センサ、２０２：紙幣計数庫、２０２０：紙幣計数庫取り外し検出センサ、２０３：取り忘れ紙幣収納庫、２０４：不適切紙幣収納庫、３００：紙幣搬送部、４００：紙幣制御部、１０００：運用開始前確認画面
【図１】
2015049733.tif 000003
【図２】
2015049733.tif 000004
【図３】
2015049733.tif 000005
【図４】
2015049733.tif 000006
【図５】
2015049733.tif 000007
【図６】
2015049733.tif 000008
【図７】
2015049733.tif 000009
【図８】
2015049733.tif 000010
【国際調査報告】
2015049733.tif 000011
2015049733.tif 000012